(57)【要約】【課題】キセノン管によるマルチ発光に際し、メインコンデンサの電圧容量低下等の不都合に関わらず、良好な撮影効果を得ることができる照明装置を提供する。【解決手段】撮像装置１００に装着される照明装置（外付ストロボ２００）において、第１の発光手段（キセノン管２）及び第１の発光手段とは異なる種類の第２の発光手段（ＬＥＤ５）と、第２の発光手段を連続照明させる照明手段とを備える。また、連続照明の状態で、撮像装置１００のシャッター２７が開いている間に、第１の発光手段により、任意に設定される発光周期でマルチ発光を行うマルチ発光手段を備える。各手段は、制御回路７がその機能を有する。【選択図】図３
2009300670.tif 000002
【特許請求の範囲】
【請求項１】
撮像装置に装着される照明装置において、
第１の発光手段及び前記第１の発光手段とは異なる種類の第２の発光手段と、
前記第２の発光手段を連続照明させる照明手段と、
前記連続照明の状態で、前記撮像装置のシャッターが開いている間に、前記第１の発光手段により、任意に設定される発光周期でマルチ発光を行うマルチ発光手段と、
を備えることを特徴とする照明装置。
【請求項２】
前記第１の発光手段はキセノン管であることを特徴とする請求項１記載の照明装置。
【請求項３】
前記第２の発光手段はＬＥＤであることを特徴とする請求項１記載の照明装置。
【発明の詳細な説明】
【技術分野】
【０００１】
本発明は、撮影を行う際、被写体に対して複数種類の異なる光源を同時に照射することのできる（マルチ発光可能な）照明装置に関するものである。
【背景技術】
【０００２】
撮像装置において、補助光を使用した撮影に際して、近距離、遠距離いずれであっても良好な撮影が可能となるようにする技術が提案されている（例えば、特許文献１参照）。
【０００３】
特許文献１に記載された撮像装置では、近距離では、発光の安定性や色温度ばらつきに優れたＬＥＤ等の光源を使用するとともに、遠距離では、キセノン管等を使用して光量不足とならないようにすることができる。
【特許文献１】特開２００５−２４９９６０号公報
【発明の開示】
【発明が解決しようとする課題】
【０００４】
図６は、従来のキセノン管のみによる短い発光周期のマルチ発光撮影の結果を示す図であり、複雑な動きのある被写体の動きを分解写真のように撮影して多重画像を得ている。
【０００５】
図７は、従来のキセノン管のみによる長い発光周期のマルチ発光撮影の結果を示す図である。
【０００６】
図６において、マルチ発光の発光回数、周波数、発光量を予め設定し、メインコンデンサの電圧容量が問題ない状態において、短い発光周期で連続多数発光すると、被写体の連続的な動きを表現する多重画像を得ることができる。
【０００７】
図７においては、メインコンデンサの電圧容量の低下等、マルチ発光実行中に、発光回数が設定回数に満たない状態で発光動作が停止することを防ぎ、確実に被写体の動きを撮ることができるようにしている。図６に示す短い発光周期に対して、発光回数を減らして、被写体の間隔が長くなった多重撮影画像を得ることができる。
【０００８】
しかし、キセノン管は間欠発光なので、マルチ発光の発光回数、周波数、発光量を予め設定してマルチ発光実行中に、メインコンデンサの電圧容量低下等により、発光が実際にできない状態が発生する。
【０００９】
特に、短い発光周期で連続多数発光を行う場合は、発光回数が設定回数に満たない状態で発光動作が停止すると、被写体の動きを忠実に表現できない写真になってしまう。
【００１０】
また、メインコンデンサの電圧容量に合わせて、発光回数を減らして、長い発光周期で連続発光する場合は、図７に示すように、被写体の間隔が離れ過ぎ、被写体の動きが判り難い画像となってしまうという問題がある。
【００１１】
本発明の目的は、キセノン管によるマルチ発光に際し、メインコンデンサの電圧容量低下等の不都合に関わらず、良好な撮影効果を得ることができる照明装置を提供することにある。
【課題を解決するための手段】
【００１２】
上記目的を達成するために、請求項１記載の照明装置は、撮像装置に装着される照明装置において、第１の発光手段及び前記第１の発光手段とは異なる種類の第２の発光手段と、前記第２の発光手段を連続照明させる照明手段と、前記連続照明の状態で、前記撮像装置のシャッターが開いている間に、前記第１の発光手段により、任意に設定される発光周期でマルチ発光を行うマルチ発光手段とを備えることを特徴とする。
【発明の効果】
【００１３】
本発明の照明装置によれば、キセノン管によるマルチ発光に際し、メインコンデンサの電圧容量低下等の不都合に関わらず、良好な撮影効果を得ることができる。
【発明を実施するための最良の形態】
【００１４】
以下、本発明の実施の形態を図面を参照しながら詳細に説明する。
【００１５】
図１は、本発明の実施の形態に係る照明装置の概略構成図である。
【００１６】
図１において、照明装置を構成する外付ストロボ２００は、図２で後述する撮像装置１００に装着される。
【００１７】
外付ストロボ２００において、モード切替操作部材１は、発光モードをＥ−ＴＴＬ、自動調光、マニュアル発光、マルチ発光に切り替える。キセノン管２は、第１の発光手段を構成する。反射傘３は、キセノン管２の光束を被写体側に反射する。
【００１８】
フレネルレンズ４は、反射傘３で反射された光束の配光を制御する。ＬＥＤ５は、第２の発光手段を構成する。ストロボ回路６は、キセノン管２にトリガー信号を送るトリガー回路及びキセノン管２を発光させるためのコンデンサを含む。
【００１９】
制御回路７は、キセノン管２とＬＥＤ５の発光制御を行う。また、制御回路７は、モード切替操作部材１の選択情報の検出と制御を行う。取り付け部８は、図２に示す撮像装置１００のアクセサリシュー３１に装着するためのものであり、制御回路７とＭＰＵ９が通信し、必要な情報の授受を行うように構成している。
【００２０】
図２は、図１の外付ストロボ２００が装着される撮像装置１００の概略構成図である。
【００２１】
図２の撮像装置１００において、マイクロコンピュータ（以下、ＭＰＵという）９は、撮像装置の各構成要素に対して様々な処理の実行を指示して、撮像装置の動作を制御する。
【００２２】
ＭＰＵ９に内蔵されるＥＥＰＲＯＭ９ａは、撮影に関する各種設定値や撮像装置の動作に必要なパラメータ等を記憶する。
【００２３】
ＭＰＵ９には、ミラー駆動部１０、シャッター駆動部１１、映像信号処理回路１２、スイッチセンス回路１３が接続されている。これらの要素（ユニット）はＭＰＵ９の制御により動作するものである。
【００２４】
ＭＰＵ９は、マウント接点１４を介して、撮影レンズユニット１５内に配置されたレンズ制御回路１６と通信を行う。
【００２５】
これにより、レンズ制御回路１６は、ＭＰＵ９との間で通信を行い、撮影レンズユニット１５内の撮影レンズ１５ａ及び絞り１７の駆動を、ＡＦ駆動部１８及び絞り駆動部１９を介して行うことが可能となる。
【００２６】
撮影レンズ１５ａの後方には、ミラー駆動部１０により被写体観察状態と被写体撮影状態の間で揺動するメインミラー２０及びサブミラー２１が配置される。ミラー駆動部１０は、例えばＤＣモータとギヤトレイン等から構成され、ＭＰＵ９によって制御される。
【００２７】
被写体観察状態において、メインミラー２０とサブミラー２１は、撮影レンズ１５ａから射出された被写体光束中に配置される。メインミラー２０は、被写体光束のほとんどを上方へ折り返し、ピント板２２上に被写体像を結像させる。
【００２８】
ピント板２２上の被写体像は、被写体像を正立正像に変換反射させるペンタプリズム２３と接眼レンズ２４を介して撮影者により観察される（光学ファインダ）。
【００２９】
また、メインミラー２０は、被写体光束の一部を透過させ、透過した光を、サブミラー２１を介して焦点検出センサユニット２５へ導く。
【００３０】
被写体撮影状態において、メインミラー２０及びサブミラー２１は、撮影レンズ１５ａから射出される被写体光束の光路外へ退避し、被写体光束を撮影素子２６方向へ入射させる。
【００３１】
シャッター２７は、撮像素子２６への光路に対して進退する遮蔽部材を有するフォーカルプレーンシャッターからなり、ファインダ観察時には被写体光束を遮る。
【００３２】
具体的には、シャッター２７は、撮像（撮影）時にはレリーズ信号に応じて、被写体光束の光路から待避して露光を開始させる先羽根群と、先羽根群の走行開始後所定のタイミングで被写体光束を遮光する後羽根群とを有する。シャッター２７は、ＭＰＵ９の指令を受けたシャッター駆動部１１によって駆動される。
【００３３】
撮像素子２６には、２次元型撮像デバイスであるＣＭＯＳ等が用いられている。
【００３４】
映像信号処理回路１２は、不図示のＡ／Ｄ変換器によってデジタル化された撮像素子２６からの画像データに対してガンマ／ニー処理、フィルタ処理、モニタ表示用の情報合成処理等、ハードウエアによる画像処理全般を実行する。
【００３５】
この映像信号処理回路１２からのモニタ表示用の画像データは、カラー液晶駆動回路２８を介してカラー液晶表示部２９に表示される。
【００３６】
スイッチセンス回路１３は、各スイッチの操作状態に応じて各部を制御する。スイッチＳＷ１（３０ａ）は、シャッターボタン３０の第１ストローク（半押し）によりオンする。スイッチＳＷ２（３０ｂ）は、シャッターボタン３０の第２ストローク（全押し）によりオンする。スイッチＳＷ２がオンされると、撮影動作が開始される。
【００３７】
アクセサリシュー３１は、外付ストロボ２００を取り付ける。
【００３８】
図３は、図１の外付ストロボ２００、図２の撮像装置１００によって実行されるキセノン管２とＬＥＤ５を併用したマルチ発光撮影処理の手順を示すフローチャートである。
【００３９】
本処理は、図２におけるＭＰＵ９と図１の制御回路７が連携して実行される。
【００４０】
図３において、バルブ状態でマルチ発光を行うと、ステップＳ３０１では、撮影者によりスイッチＳＷ２（３０ｂ）が押下されているかどうかを検出する。スイッチＳＷ２（３０ｂ）が押下されていない状態であれば、一定時間後に再度検出を行う。
【００４１】
そして、スイッチＳＷ２（３０ｂ）が押下されている状態であれば、ステップＳ３０２（照明手段）に進み、ＬＥＤ５を用いた第２の発光手段の点灯（連続照明）を開始する。
【００４２】
ステップＳ３０３では、シャッター２７の先羽根群を走行させて、後羽根群は退避位置のままの状態で、シャッター２７を開放状態とする。
【００４３】
ステップＳ３０４（マルチ発光手段）では、シャッター２７が開いている間に、撮影者が任意に設定した発光周期でマルチ発光撮影を行わせる。
【００４４】
ステップＳ３０５では、撮影者によりスイッチＳＷ２（３０ｂ）の押下が解除されているかどうかを検出する。スイッチＳＷ２（３０ｂ）の押下が解除されていない状態であれば、一定時間後に再度検出を行う。
【００４５】
そして、スイッチＳＷ２（３０ｂ）の押下が解除されている状態であれば、ステップＳ３０６に進む。ステップＳ３０６では、キセノン管２によるマルチ発光は停止される。
【００４６】
また、ステップＳ３０７では、先羽根群と後羽根群は所定位置に復帰され、シャッター２７は閉じ状態に戻される。
【００４７】
ステップＳ３０８では、ＬＥＤ５の連続点灯も停止され、マルチ発光撮影が終了状態になる。
【００４８】
図４は、図１におけるキセノン管２とＬＥＤ５を併用した短い発光周期のマルチ発光撮影の結果を示す図である。
【００４９】
図４に示すように、短い発光周期が設定されても、複雑な動きのある被写体の動きの軌跡を浮かび上がらせ、流動感のある多重撮影画像を得ることができる。
【００５０】
図５は、図１におけるキセノン管２とＬＥＤ５を併用した長い発光周期のマルチ発光撮影の結果を示す図である。
【００５１】
図５に示すように、長い発光周期が設定されても、複雑な動きのある被写体の動きの軌跡を浮かび上がらせ、流動感のある多重画像を得ることができる。
【００５２】
図５において、本実施の形態のキセノン管２とＬＥＤ５を併用したマルチ発光撮影で、マルチ発光モードが設定されると、ＬＥＤ５が連続点灯され、キセノン管２も予めに任意設定された発光回数、周波数、発光量に合わせて間欠発光する。
【００５３】
メインコンデンサの電圧容量の低下等により、長い発光周期が設定されると、キセノン管２の発光間隔は長くなるが、ＬＥＤ５が常時点灯することにより、動きのある被写体間の軌跡を浮かび上がらせことができる。従って、被写体の連続的な動きが判り易くなり、良好なマルチ発光の撮影効果を得ることが可能となる。
【００５４】
また、図４に示すように、メインコンデンサの電圧容量が十分で、短い発光周期が設定される場合は、キセノン管２の短かい発光間隔での撮影に対しても、ＬＥＤ５を点灯させることで、長い発光周期の場合と同じく、良好なマルチ発光の撮影効果を得ることができる。
【図面の簡単な説明】
【００５５】
【図１】本発明の実施の形態に係る照明装置の概略構成図である。
【図２】図１の外付ストロボが装着される撮像装置の概略構成図である。
【図３】図１の外付ストロボ、図２の撮像装置によって実行されるキセノン管とＬＥＤを併用したマルチ発光撮影処理の手順を示すフローチャートである。
【図４】図１におけるキセノン管とＬＥＤを併用した短い発光周期のマルチ発光撮影の結果を示す図である。
【図５】図１におけるキセノン管とＬＥＤを併用した長い発光周期のマルチ発光撮影の結果を示す図である。
【図６】従来のキセノン管のみによる短い発光周期のマルチ発光撮影の結果を示す図である。
【図７】従来のキセノン管のみによる長い発光周期のマルチ発光撮影の結果を示す図である。
【符号の説明】
【００５６】
１  モード切替操作部材
２  キセノン管
３  反射傘
４  フレネルレンズ
５  ＬＥＤ
６  ストロボ回路
７  制御回路
８  取り付け部
２００  外付ストロボ
【図１】
2009300670.tif 000003
【図２】
2009300670.tif 000004
【図３】
2009300670.tif 000005
【図４】
2009300670.tif 000006
【図５】
2009300670.tif 000007
【図６】
2009300670.tif 000008
【図７】
2009300670.tif 000009